(57)【要約】【課題】  男子小便器使用者が腰が引けた状態ではなく正しい姿勢で使用しやすいように導くことができる男子小便器用トイレマットを提供する。【解決手段】  男子小便器の使用者が立つべき所定の使用位置に設けるトイレマット１００において、足を載せ置いた使用者の足裏を持ち上げる足載せ部１０を備えている。当該足載せ部１０の上面形状が、使用者の踵部分１１１の位置、土踏まず部分１１２の位置、母趾球部分１１３の位置、つま先部分１１４の位置の順に低くなるように角度をつけたものとする。ここで、踵部分１１１の位置から土踏まず部分１１２の位置への傾斜角度の方が、土踏まず部分１１２の位置から母趾球部分１１３の位置への傾斜角度よりも大きいことが好ましい。使用者は自然と体重の重心を支えるため、腰を前方に押し出し、直立に近い姿勢となり小便の垂れが本来の垂れ受部に滴下するように導くことができる。【選択図】図１
2008272498.tif 000002
【特許請求の範囲】
【請求項１】
男子小便器の使用者が立つべき所定の使用位置に設けるトイレマットにおいて、
足を載せ置いた前記使用者の足裏を持ち上げる足載せ部を備え、前記足載せ部の上面形状が、前記使用者の踵の位置、土踏まずの位置、母趾球の位置、つま先の位置の順に低くなるように角度をつけたものであることを特徴とする男子小便器用トイレマット。
【請求項２】
前記足載せ部の上面形状において、前記使用者の前記踵の位置から前記土踏まずの位置への傾斜角度の方が、前記土踏まずの位置から前記母趾球の位置への傾斜角度よりも大きいことを特徴とする請求項１に記載の男子小便器用トイレマット。
【請求項３】
前記足載せ部の上面形状において、前記使用者の前記母趾球から第５趾球までの横足弓（メタタザールアーチ）部分が凸形状を備え、両端の前記母趾球の位置と前記第５趾球の位置が低く、中央の第３趾球の位置が高くなっていることを特徴とする請求項１または２に記載の男子小便器用トイレマット。
【請求項４】
縦方向に多数の縦穴を設けたメッシュ構造とした請求項１から３のいずれか１項に記載の男子小便器用トイレマット。
【請求項５】
男子小便器の使用者が使用する男子小便器用履物において、
中底上面形状が、前記使用者の踵の位置、土踏まずの位置、母趾球の位置、つま先の位置の順に低くなるように角度をつけたものであることを特徴とする男子小便器用履物。
【請求項６】
前記中底上面形状において、前記使用者の前記踵の位置から前記土踏まずの位置への傾斜角度の方が、前記土踏まずの位置から前記母趾球の位置への傾斜角度よりも大きいことを特徴とする請求項５に記載の男子小便器用履物。
【請求項７】
前記中底上面形状において、前記使用者の前記母趾球から第５趾球までの横足弓（メタタザールアーチ）部分が凸形状を備え、両端の前記母趾球の位置と前記第５趾球の位置が低く、中央の第３趾球の位置が高くなっていることを特徴とする請求項５または６に記載の男子小便器用履物。
【発明の詳細な説明】
【技術分野】
【０００１】
本発明は、男子小便器の使用者が立つべき男子小便器手前下方の所定位置に設けるトイレマット、および、男子小便器の使用者が使用する男子小便器用履物に関する。
【背景技術】
【０００２】
男子小便器の使用において、使用者が前面に対向して立ち、男子小便器の小便の鉢面に向けて小用を足す。小用の当初は小便が男性器から勢い良く男子小便器の鉢面に到達するが小用の終わりに近づくと勢いがなくなり雫となって男性器直下に滴下してしまう。そのため男性器直下部分に位置するように男性小便器の垂れ受部が前方に突き出ている。
【０００３】
しかし、従来より男子小便器の手前下部分の床面の小便だれが問題とされてきた。主にその原因は使用者が使用時に想定されている本来の立ち位置より後方に立って使用したり腰が引けた状態で使用したりすることにより、男性器の位置が男性小便器の垂れ受部より手前に位置しているために男性器から滴下した雫が男性小便器の垂れ受部より手前に落ちてしまうことにある。
【０００４】
従来から男子小便器の手前が小便の雫により汚れないように、プラスチック製やゴム製のマット等を敷設し、当該マット等に使用者が乗って小用を足すことにより男性器から滴下した雫を当該プラスチック製やゴム製のマット等により受け止めることにより床面の汚れを防止せしめていた。
【０００５】
例えば、特開２００２−３６４０５８号公報に記載されたマットは、小便器の手前下の床面に敷設された小便器の使用者が乗るものであって、薄箱型に形成されており、箱型本体の上面に一又は複数個の穴を穿設し、内部に液体用の吸収材を装填した構成となっている。なお、箱型の本体は、穴の穿設された上面が箱型本体の蓋として開閉自在に箱型本体に枢着する構成としたり、あるいは上部が開口した箱型本体の上部に穴の穿設された板状の蓋を着脱自在に取り付けた構成とすることができるとされている。
【０００６】
また、例えば、特開２００７−２２２３８６号公報に記載されたマットは、特開２００２−３６４０５８号公報に記載されたマットを改良したものであり、上記の小便器用ステップの前面端部に傾斜を設けて利用者がつまづかないように配慮するとともに、箱型本体の内箱を上げ底として吸収材が上面の穴に直接接合するように押圧設置する構成とし、さらに、使用済みの吸収材の回収が容易になるように外箱と内箱が容易に着脱できるように掛止する構造に工夫されたものとなっている。
【０００７】
【特許文献１】特開２００２−３６４０５８号公報
【特許文献２】特開２００７−２２２３８６号公報
【発明の開示】
【発明が解決しようとする課題】
【０００８】
男子小便器の手前下部分の床面の小便の垂れは、清掃作業員の清掃作業負担を増加させてしまい、また、床材がタイル等ではなくビニールクロス等であれば小便に含まれる塩分や清掃に用いる薬品の影響により床面が変色したりすることがある。そのため男子小便器の手前下部分の床面の小便の垂れを防止することは重要である。
【０００９】
男子小便器の手前下部分の床面の小便の垂れは根本的には男子用小便器の垂れ受部により受け止めることが最適であることは言うまでもない。問題は、使用者が使用時に想定されている本来の立ち位置より後方に立って使用したり腰が引けた状態で使用したりすることであり、男性器の位置が男性小便器の垂れ受部より手前に位置しているために男性器から滴下した雫が男性小便器の垂れ受部より手前に落ちてしまうことにある。そこで、如何に使用者が使用時に想定されている本来の立ち位置に立ってもらうか、かつ、使用時に腰が引けた状態ではなく正しい姿勢で使用してもらうことが重要である。男性器の位置が男性小便器の垂れ受部のエッジよりも前方に位置しておれば男性器から滴下した雫が男性小便器の垂れ受部に受け止められる。
【００１０】
上記の特開２００２−３６４０５８号公報や特開２００７−２２２３８６号公報に記載されたマット類は、男子小便器の手前下部分の床面に直接滴下することを防止せしめる点で効果が期待され、床面の変質という自体は防御できるものの、当該マット類に滴下させることを前提としている以上、当該マット類自体の清掃作業が増加してしまうため清掃作業員の清掃負担自体は軽減されずむしろ増加することとなってしまう。下部に吸収体を備える構造となっているため小便の垂れで汚れている箱状体を開閉して吸収体を交換する作業は負担が大きいと考えられる。
【００１１】
上記問題点に鑑み、本発明は、男子小便器使用者の小便の垂れが本来の垂れ受部に滴下するように、使用者が使用時に想定されている本来の立ち位置に立つように導き、かつ、使用時に腰が引けた状態ではなく正しい姿勢で使用しやすいように導くことができる男子小便器用トイレマットを提供することを目的とする。
【課題を解決するための手段】
【００１２】
上記目的を達成するため、本発明の男子小便器用トイレマットは、
男子小便器の使用者が立つべき所定の使用位置に設けるトイレマットにおいて、
足を載せ置いた前記使用者の足裏を持ち上げる足載せ部を備え、前記足載せ部の上面形状が、前記使用者の踵の位置、土踏まずの位置、母趾球の位置、つま先の位置の順に低くなるように角度をつけたものであることを特徴とするものである。
【００１３】
ここで、前記足載せ部の上面形状において、前記使用者の前記踵の位置から前記土踏まずの位置への傾斜角度の方が、前記土踏まずの位置から前記母趾球の位置への傾斜角度よりも大きいことが好ましい。
【００１４】
また、前記足載せ部の上面形状において、前記使用者の前記母趾球から第５趾球までの横足弓（メタタザールアーチ）部分が凸形状を備え、両端の前記母趾球の位置と前記第５趾球の位置が低く、中央の第３趾球の位置が高くなっていることが好ましい。
【００１５】
上記構成により、男子小便器用トイレマットに乗ることにより、足裏において踵、土踏まず、母趾球の位置、つま先の位置の順に低くなり、使用者はバランスを取るため自然と体重の重心が立ち位置直下に位置するように姿勢をとりやすくなり、腰の位置が垂直方向に安定し、男性器の位置が垂れ受部より前方に位置するように導くことができる。
【００１６】
問題となる腰が引ける状態を分析すると、使用者は腰が引けた状態で安定するためには、上体をかがめるとともに、体重を足裏の後方部分の踵と、足裏の前方部分の母趾球から第５趾球までで支えている。つまり、腰部分を後ろに位置するためには足先の母趾球から第５趾球までで踏ん張る状態となっている。
【００１７】
本発明の男子小便器用トイレマットでは、足載せ部の上面形状において、特に踵の位置から土踏まずの位置への傾斜角度の方が、土踏まずの位置から母趾球の位置への傾斜角度よりも大きい形状した場合には足先の母趾球から第５趾球までで踏ん張り、使用者は腰の背面を反らし、使用者は自然と体重の重心を支えるため、結果として腰を前方に押し出し、直立に近い姿勢に導かれるという効果が得られる。
【００１８】
また、足載せ部の上面形状において、使用者の母趾球から第５趾球までの横足弓（メタタザールアーチ）部分が凸形状を備えたものとなっており、母趾球や第５趾球に力が入りにくく、使用者は自然と体重の重心を支えるため、腰を前方に押し出し、直立に近い姿勢に導かれるという効果が得やすくなる。
【００１９】
なお、上記構成として使用者は自然と体重の重心を支えるため、腰を前方に押し出し、直立に近い姿勢に導くことができるものであるが、使用者の使用状態によって一部の小便の垂れが垂れ受部より手前に滴下してしまい男子小便器用トイレマットに垂れることも鑑み、男子小便器用トイレマットにおいて縦方向に多数の縦穴を設けたメッシュ構造とすることが好ましい。
【００２０】
男子小便器用トイレマットの上面に小便の垂れが溜まっていると使用者に不快感を与えることがあるが、縦方向に多数の縦穴を設けたメッシュ構造とすることにより、万一小便の垂れが滴下してしまっても小便の垂れが上面に溜まることなく、後の使用者に不快感を与えることがない。
【００２１】
上記は、自然に使用者が腰を前方に押し出し直立に近い姿勢をとるように導くものとして男子小便器用トイレマットの形にて提供したが、男子小便器用履物の形として提供することも可能である。
【００２２】
男子小便器の使用者が使用する男子小便器用履物において、中底上面形状が、前記使用者の踵の位置、土踏まずの位置、母趾球の位置、つま先の位置の順に低くなるように角度をつけたものであることを特徴とする。
【００２３】
ここで、男子小便器用トイレマット同様、前記中底上面形状において、前記使用者の前記踵の位置から前記土踏まずの位置への傾斜角度の方が、前記土踏まずの位置から前記母趾球の位置への傾斜角度よりも大きいことが好ましい。
【００２４】
また、男子小便器用トイレマット同様、前記中底上面形状において、前記使用者の前記母趾球から第５趾球までの横足弓（メタタザールアーチ）部分が凸形状を備え、両端の前記母趾球の位置と前記第５趾球の位置が低く、中央の第３趾球の位置が高くなっていることが好ましい。母趾球や第５趾球に力が入りにくく、使用者は自然と体重の重心を支えるため、腰を前方に押し出し、直立に近い姿勢に導かれるという効果が得やすくなる。
【発明の効果】
【００２５】
本発明の男子小便器用トイレマットおよび男子小便器用履物によれば、使用者は自然と体重の重心を支えるため、腰を前方に押し出し、直立に近い姿勢に導かれるという効果が得られ、男子小便器使用者の小便の垂れが本来の垂れ受部に滴下するように導くことができる。
【発明を実施するための最良の形態】
【００２６】
以下、図面を参照しつつ、本発明の男子小便器用トイレマットおよび男子小便器用履物の実施形態を説明する。ただし、本発明の技術的範囲は以下の実施形態に示した具体的な用途や形状・寸法などには限定されない。
【実施例１】
【００２７】
実施例１として本発明の男子小便器用トイレマットの構成例を示す。
図１は、本発明の男子小便器用トイレマット１００の構成を模式的に示す図である。図１（ａ）は平面図、図１（ｂ）は側面図となっている。図１（ｃ）は本発明の男子小便器用トイレマット１００を所定位置に設置した場合の男子用小便器２００との関係を模式的に分かりやすく示した図である。
【００２８】
図１（ａ）および図１（ｂ）に示すように、本発明の男子小便器用トイレマット１００は、足を載せ置いた使用者の足裏を持ち上げる足載せ部１０を備えたものとなっている。
この足載せ部１０には切れ込み部分１２が設けられており、男子小便器用トイレマット１００を男子用小便器２００の手前から押し込んで行き、図１（ｃ）に模式的に示すように、男子用小便器２００の垂れ受部２２０が入り込むように工夫されている。また、この足載せ部１０の上面には使用者に足を置いてもらう位置を誘導する足型の絵柄１１が表示されている。
この足載せ部１０の上面形状は傾きを持っており、使用者の踵部分１１１の位置、土踏まず部分１１２の位置、母趾球部分１１３の位置、つま先部分１１４の位置の順に低くなるように角度がつけられている。
【００２９】
この構成例では、図１（ｂ）に示すように、使用者の踵部分１１１の位置、土踏まず部分１１２の位置、母趾球部分１１３の位置、つま先部分１１４の位置が直線状に低くなるように傾きがつけられている。
【００３０】
このような上面形状を持つ足載せ部１０を備えた本発明の男子小便器用トイレマット１００を用いることにより得られる効果を図２を参照しつつ説明する。
図２（ａ）および図２（ｂ）は、本発明の男子小便器用トイレマット１００を用いない場合に小便の垂れが垂れ受部２２０の手前に落ちてしまう場合を模式的に示している。
【００３１】
図２（ａ）は、使用者が使用時に想定されている本来の立ち位置より後方に立って男子小便器を使用する場合である。
図２（ａ）に見るように、使用者が使用時に想定されている本来の立ち位置より後方に離れて立つと男性器の位置は男子用小便器２００の垂れ受部２２０より手前に位置している。小用の当初は勢い良く放尿できるので男子用小便器２００の鉢面２１０に到達するが、小用の終わり頃には勢いがなくなり下方に落ち始め、使用者の男性器の位置が垂れ受部２２０より手前に位置しているために男性器から滴下した雫が垂れ受部２２０より手前に落ちてしまうこととなる。
【００３２】
図２（ｂ）は、使用者が使用時に立ち位置は比較的良いものの腰が引けた状態で男子用小便器２００を使用する場合である。使用者の腰が引けているとやはり男性器の位置は男子用小便器２００の垂れ受部２２０より手前に位置しているため、小用の終わり頃には勢いがなくなり下方に落ち始め、男性器から滴下した雫が垂れ受部２２０より手前に落ちてしまうこととなる。
なお、この姿勢でも上体が前にあり腰が後方にあるため体重の重心がとれた安定した姿勢となっている。
【００３３】
一方、本発明の男子小便器用トイレマット１００を用いる場合は、立ち位置、姿勢ともに良くなり腰が引けずに前方に位置するようになり、図２（ｃ）に示すように、男性器の位置は男子用小便器２００の垂れ受部２２０のエッジより前方に位置しており、男性器から滴下した雫が垂れ受部２２０内に受け止められている。以下、この状態が導かれる点について説明する。
【００３４】
本発明の男子小便器用トイレマット１００を用いる場合は、まず、その設置位置が男子小便器２００手前の本来使用者が立つべき所定位置に置かれており、使用者が男子小便器用トイレマット１００に足を載せ置くことにより、本来使用者が立つべき所定位置に立つように導く。
【００３５】
次に、本発明の男子小便器用トイレマット１００を用いる場合は、図２（ｃ）に示すように、足載せ部１０の上面形状が傾いているために、上体を前方に傾けた状態では重心が前に移動しやすく安定しにくいため、立ち位置において重心を保つためには上体を起こして腰を前方に保つ姿勢を自然と取りやすくなる。踵より母趾球が下に位置するため母趾球に力を入れて重心を安定させるよりも上体を起こして前方に保つ姿勢の方が重心を安定させてバランスを取る方が簡単で使用者は自然と直立する姿勢を取りやすくなるのである。
図３は、踵が上がりつま先が下がった状態においてバランスをとるために自然と腰の位置が前方に出る様子を模式的に示した図である。図３（ａ）に示すように踵が上がりつま先が下がる状態では前傾姿勢でいると体重が前に移動しやすく平面時よりもさらに足裏の母趾球に力を入れないと安定しない。そこで図３（ｂ）に示すように、人は自然と引けた腰を前方に突き出して体重重心移動を行うように導かれるのである。腰が前方に位置するようになれば男性性器も前方に位置することとなり男子用小便器の垂れ受部２２０内に小用の雫が滴下するようになる。
【００３６】
なお、男子小便器用トイレマット１００において、縦方向に多数の縦穴を設けたメッシュ構造とすることは好ましい。万一小便の垂れが滴下してしまっても小便の垂れが男子小便器用トイレマット１００の上面に溜まることなく、後の使用者に不快感を与えることがなくなるからである。
【００３７】
以上、本発明の男子小便器用トイレマットによれば、使用者は自然と体重の重心を支えるため、腰を前方に押し出し、直立に近い姿勢に導かれるという効果が得られ、男子小便器使用者の小便の垂れが本来の垂れ受部に滴下するように導くことができる。
【実施例２】
【００３８】
実施例２として本発明の男子小便器用トイレマットの構成例を示す。
図４は、本発明の男子小便器用トイレマット１００ａの構成を模式的に示す図である。図４（ａ）は平面図、図４（ｂ）は側面図となっている。図４（ｃ）は本発明の男子小便器用トイレマット１００を所定位置に設置した場合の男子用小便器２００との関係を模式的に分かりやすく示した図である。
図４（ａ）および図４（ｂ）に示すように、本発明の男子小便器用トイレマット１００ａは、足を載せ置いた使用者の足裏を持ち上げる足載せ部１０ａを備えたものとなっている。
【００３９】
この足載せ部１０ａの上面形状は傾きを持っており、実施例１の場合と同様、使用者の踵部分１１１ａの位置、土踏まず部分１１２ａの位置、母趾球部分１１３ａの位置、つま先部分１１４ａの位置の順に低くなるように角度がつけられている。
【００４０】
さらに、この構成例では、足載せ部１０ａの上面形状において、使用者の踵部分１１１ａの位置から土踏まず部分１１２ａの位置への傾斜角度の方が、土踏まず部分１１２ａの位置から母趾球部分１１３ａの位置およびつま先部分１１４ａへの傾斜角度よりも大きいものとなっている。実施例１に示した踵部分１１１ａの位置から土踏まず部分１１２ａの位置への傾斜角度よりもさらに角度が大きく設けられている。
【００４１】
このような上面形状を持つ足載せ部１０ａを備えた本発明の男子小便器用トイレマット１００ａを用いることにより得られる効果を図５を参照しつつ説明する。
【００４２】
図５は、本発明の男子小便器用トイレマット１００ａを用いて踵が上がりつま先が下がった状態においてバランスをとるために自然と腰の位置が前方に出る様子を模式的に示した図である。図５（ａ）に示すように踵が上がりさらにつま先が下がる状態では前傾姿勢でいると体重が前に移動しやすく平面時、さらには図３（ａ）の状態よりさらに足裏の母趾球に力を入れないと安定しない。そこで図５（ｂ）に示すように、人は自然と引けた腰を前方に突き出して体重重心移動を行うように導かれるのである。腰が前方に位置するようになれば男性性器も前方に位置することとなり男子用小便器の垂れ受部２２０内に小用の雫が滴下するようになる。
【００４３】
つまり、本発明の男子小便器用トイレマット１００ａを用いる場合は、足載せ部１０ａの上面形状が傾いており、さらに、使用者の踵部分１１１ａの位置から土踏まず部分１１２ａの位置への傾斜角度の方が、土踏まず部分１１２ａの位置から母趾球部分１１３ａの位置およびつま先部分１１４ａへの傾斜角度よりも大きいものとなっており、図５（ｃ）に示すように、踵部分１１１ａの位置から土踏まず部分１１２ａの位置への傾斜角度が大きいため、重心を保つためには立ち位置において上体を起こし腰を前方に保つ姿勢を自然と取りやすくなる。
【００４４】
なお、男子小便器用トイレマット１００ａにおいても、縦方向に多数の縦穴を設けたメッシュ構造とすることは好ましい。万一小便の垂れが滴下してしまっても小便の垂れが男子小便器用トイレマット１００ａの上面に溜まることなく、後の使用者に不快感を与えることがなくなるからである。
【００４５】
以上、本発明の男子小便器用トイレマット１００ａによれば、使用者は自然と体重の重心を支えるため、腰を前方に押し出し、直立に近い姿勢に導かれるという効果が得られ、男子小便器使用者の小便の垂れが本来の垂れ受部に滴下するように導くことができる。
【実施例３】
【００４６】
実施例３として本発明の男子小便器用トイレマットの構成例を示す。
図６は、本発明の男子小便器用トイレマット１００ｂの構成を模式的に示す図である。図６（ａ）は平面図、図６（ｂ）はＡ１−Ａ２線縦断面図、図６（ｃ）はＢ１−Ｂ１線横断面図を示している。
【００４７】
図６（ａ）から図６（ｃ）に示すように、本発明の男子小便器用トイレマット１００ｂは、足を載せ置いた使用者の足裏を持ち上げる足載せ部１０ｂを備えたものとなっている。
【００４８】
この足載せ部１０ｂの上面形状は傾きを持っており、実施例１の場合と同様、使用者の踵部分１１１ｂの位置、土踏まず部分１１２ｂの位置、母趾球部分１１３ｂの位置、つま先部分１１４ｂの位置の順に低くなるように角度がつけられている。また、実施例２の場合と同様、この構成例では足載せ部１０ｂの上面形状において、使用者の踵部分１１１ｂの位置から土踏まず部分１１２ｂの位置への傾斜角度の方が、土踏まず部分１１２ｂの位置から母趾球部分１１３ｂの位置への傾斜角度よりも大きいものとなっている。
【００４９】
そして、この構成例ではさらに、足載せ部１０ｂの上面形状において、使用者の母趾球から第５趾球までの横足弓（メタタザールアーチ）部分が凸形状を備え、両端の母趾球部分１１３ｂの位置と第５趾球部分１１５ｂの位置が低く、中央の第３趾球部分１１６ｂの位置が高くなっている。
【００５０】
このような上面形状を持つ足載せ部１０ｂを備えた本発明の男子小便器用トイレマット１００ｂを用いることにより得られる効果を図７を参照しつつ説明する。
【００５１】
図７は、本発明の男子小便器用トイレマット１００ｂを用いて踵が上がりつま先が下がった状態においてバランスをとるために自然と腰の位置が前方に出る様子を模式的に示した図である。図７（ａ）に示すように踵が上がりさらにつま先が下がる状態では前傾姿勢でいると体重が支えづらく、図３（ａ）の状態よりさらに足裏の母趾球に力を入れないと安定しないところ、図７（ｃ）に示すように母趾球から第５趾球までの横足弓（メタタザールアーチ）部分において母趾球部分１１３ｂが低く力が入りにくく前傾姿勢では安定しづらい。
そこで図７（ｂ）に示すように、人は自然と引けた腰を前方に突き出して体重重心移動を行い、体が鉛直方向に直立するように導かれるのである。腰が前方に位置するようになれば男性性器も前方に位置することとなり男子用小便器の垂れ受部２２０内に小用の雫が滴下するようになる。
【００５２】
つまり、本発明の男子小便器用トイレマット１００ｂを用いる場合は、足載せ部１０ｂの上面形状が傾いており、さらに、使用者の踵部分１１１ｂの位置から土踏まず部分１１２ｂの位置への傾斜角度の方が、土踏まず部分１１２ｂの位置から母趾球部分１１３ｂの位置への傾斜角度よりも大きいものとなっており、また、母趾球から第５趾球までの横足弓（メタタザールアーチ）部分が凸形状を備えているため、さらに母趾球部分１１３ｂおよびつま先部分１１４ｂで踏ん張りが効きにくくなっており、上体をかがめた上体では安定しづらく、重心を保つためには立ち位置において体が鉛直方向となるように上体を起こし腰を前方に保つ姿勢を自然と取りやすくなる。
【００５３】
なお、男子小便器用トイレマット１００ｂにおいても、縦方向に多数の縦穴を設けたメッシュ構造とすることは好ましい。万一小便の垂れが滴下してしまっても小便の垂れが男子小便器用トイレマット１００ｂの上面に溜まることなく、後の使用者に不快感を与えることがなくなるからである。
【００５４】
以上、本発明の男子小便器用トイレマット１００ｂによれば、使用者は自然と体重の重心を支えるため、腰を前方に押し出し、直立に近い姿勢に導かれるという効果が得られ、男子小便器使用者の小便の垂れが本来の垂れ受部に滴下するように導くことができる。
【実施例４】
【００５５】
実施例４として本発明の男子小便器用履物の構成例を示す。
図８は、本発明の男子小便器用履物３００の構成を模式的に示す図である。図８（ａ）は平面図、図８（ｂ）は足載せ部のみのＣ１−Ｃ２線縦断面図、図８（ｃ）は足載せ部のみのＤ１−Ｄ２横断面図となっている。
【００５６】
図８（ａ）に示すように、本発明の男子小便器用履物３００は、足を載せ置いた使用者の足裏を持ち上げる足載せ部３１０を備えたものとなっている。なお、足載せ部３１０の履物覆い３２０が形成されている。
【００５７】
図８（ｂ）に示すようにこの足載せ部３１０の上面形状は傾きを持っており、使用者の踵部分３１１の位置、土踏まず部分３１２の位置、母趾球部分３１３の位置、つま先部分３１４の位置の順に低くなるように角度がつけられている。
【００５８】
この構成例では、使用者の踵部分３１１の位置、土踏まず部分３１２の位置、母趾球部分３１３の位置、つま先部分３１４の位置が直線状に低くなるように傾きがつけられている。
【００５９】
さらに、この構成例では、足載せ部３１０の上面形状において、使用者の踵部分３１１の位置から土踏まず部分３１２の位置への傾斜角度の方が、土踏まず部分３１２の位置から母趾球部分３１３の位置への傾斜角度よりも大きいものとなっている。
【００６０】
また、図８（ｃ）に示すようにこの構成例ではさらに、足載せ部３１０の上面形状において、使用者の母趾球から第５趾球までの横足弓（メタタザールアーチ）部分が凸形状を備え、両端の母趾球部分３１３の位置と第５趾球部分３１５の位置が低く、中央の第３趾球部分３１６の位置が高くなっている。
【００６１】
このような上面形状を持つ足載せ部３１０を備えた本発明の男子小便器用履物３００を用いることにより得られる効果を図９を参照しつつ説明する。
なお、図９では足載せ部３１０の効果が分かりやすいように履物の上面の覆いは図示せず、足載せ部３１０の側面が見える形となっている。
【００６２】
図９は、本発明の男子小便器用履物３００を用いて踵が上がりつま先が下がった状態においてバランスをとるために自然と腰の位置が前方に出る様子を模式的に示した図である。図９（ａ）に示すように中底の足載せ部３１０の形状により踵が上がりつま先が下がる状態では前傾姿勢でいると体重が前に移動しやすく平面状態より足裏の母趾球に力を入れないと安定せず、さらに、図９（ｃ）に示すように母趾球から第５趾球までの横足弓（メタタザールアーチ）部分において母趾球部分３１３が低く力が入りにくく前傾姿勢で安定しづらいものとなっている。
【００６３】
そこで図９（ｂ）に示すように、人は引けた腰を自然と前方に突き出して体重重心移動を行い、立ち位置において鉛直方向に真っ直ぐと体を立てるように導かれるのである。腰が前方に位置するようになれば男性性器も前方に位置することとなり男子用小便器の垂れ受部２２０内に小用の雫が滴下するようになる。
【００６４】
さらに、使用者の踵部分３１１の位置から土踏まず部分３１２の位置への傾斜角度の方が、土踏まず部分３１２の位置から母趾球部分３１３の位置への傾斜角度よりも大きいものとなっており、また、母趾球から第５趾球までの横足弓（メタタザールアーチ）部分が凸形状を備えているため、さらに母趾球部分３１３およびつま先部分３１４で踏ん張りが効きにくくなっており、上体をかがめた上体では安定しづらく、重心を保つためには立ち位置において鉛直方向に真っ直ぐと体を立てるように上体を起こし腰を前方に保つ姿勢を自然と取りやすくなる。
【００６５】
以上、本発明の男子小便器用履物によれば、使用者は自然と体重の重心を支えるため、腰を前方に押し出し、直立に近い姿勢に導かれるという効果が得られ、男子小便器使用者の小便の垂れが本来の垂れ受部に滴下するように導くことができる。
【００６６】
以上、本発明の男子小便器用トイレマットにおける好ましい実施形態を図示して説明してきたが、本発明の技術的範囲を逸脱することなく種々の変更が可能であることは理解されるであろう。
【産業上の利用可能性】
【００６７】
本発明は多様なメーカーの男子小便器用トイレマットに適用することができる。また、多様なメーカーの男子小便器用履物に適用することができる。
【図面の簡単な説明】
【００６８】
【図１】実施例１にかかる本発明の男子小便器用トイレマット１００の構成を模式的に示す図
【図２】本発明の男子小便器用トイレマット１００を用いることにより得られる効果を示す図
【図３】実施例１にかかる本発明の男子小便器用トイレマット１００を用いることにより得られる効果を示す図
【図４】実施例２にかかる本発明の男子小便器用トイレマット１００ａの構成を模式的に示す図
【図５】実施例２にかかる本発明の男子小便器用トイレマット１００ａを用いることにより得られる効果を示す図
【図６】実施例３にかかる本発明の男子小便器用トイレマット１００ｂの構成を模式的に示す図
【図７】実施例３にかかる本発明の男子小便器用トイレマット１００ｂを用いることにより得られる効果を示す図
【図８】実施例４にかかる本発明の男子小便器用履物３００の構成を模式的に示す図
【図９】実施例４にかかる本発明の男子小便器用履物３００を用いることにより得られる効果を示す図
【符号の説明】
【００６９】
１０  足載せ部
１１  足型の絵柄
１１１  踵部分
１１２  土踏まず部分
１１３  母趾球部分
１１４  つま先部分
１１５  第５趾球部分
１１６  第３趾球部分
１００  男子小便器用トイレマット
２００  男子用小便器
２１０  鉢面
２２０  垂れ受部
３００  男子小便器用履物
３１０  足載せ部
３１１  踵部分
３１２  土踏まず部分
３１３  母趾球部分
３１４  つま先部分
３１５  第５趾球部分
３１６  第３趾球部分
【図１】
2008272498.tif 000003
【図２】
2008272498.tif 000004
【図３】
2008272498.tif 000005
【図４】
2008272498.tif 000006
【図５】
2008272498.tif 000007
【図６】
2008272498.tif 000008
【図７】
2008272498.tif 000009
【図８】
2008272498.tif 000010
【図９】
2008272498.tif 000011